(57)【要約】      （修正有）【課題】熱膨張による破損を防ぐとともに、簡易に設置できるフェンスを提供する。【解決手段】フェンス１０は、一対の支柱１２，１４と、一対の支柱１２，１４間に水平方向に設けられた長手の受材２０，２４，２６と、受材２０，２４，２６に取り付けられるパネルユニット４２とを備えている。パネルユニット４２は、受材２０，２４，２６に上方から装着される長手の取付材６０，６２，６４，６６と、取付材６０，６２，６４，６６の表面に間隔をあけて設けられた複数の縦材５８とを備えている。取付材６０，６２，６４，６６は、装着された受材２０，２４，２６にネジ止め固定されている。【選択図】図１
0003193005.tif 000002
【実用新案登録請求の範囲】
【請求項１】
一対の支柱と、
前記一対の支柱間に水平方向に設けられた複数の長手の受材と、
前記受材に取り付けられるパネルユニットと、
を有するフェンスであって、
前記パネルユニットは、前記複数の受材に上方から装着される複数の長手の取付材と、前記複数の取付材の表面に間隔をあけて設けられた複数の縦材とを備え、
前記複数の取付材のうち、１以上の取付材が装着された前記受材に固定されているフェンス。
【請求項２】
請求項１において、
前記複数の縦材の隙間で、前記取付材が前記受材にネジ止めされているフェンス。
【請求項３】
請求項１または２において、
前記受材が断面Ｌ字形状部を備え、前記取付材が断面コ字形状部を備え、
前記受材の下板部の上面と、前記取付材の下板部の下面とが面するように、前記取付材が前記受材に装着されているフェンス。
【請求項４】
請求項１から３のいずれかにおいて、
一対の支柱間に設けられた最上段の前記受材に、パネルユニットの最上段の前記取付材が仮装着された状態で、前記パネルユニットの前記最上段以外の取付材に対応させて、前記最上段以外の受材が一対の支柱間に設けられたフェンス。
【考案の詳細な説明】
【技術分野】
【０００１】
本考案は、熱膨張による破損を防ぐとともに、簡易に設置できるフェンスに関するものである。
【背景技術】
【０００２】
庭やウッドデッキ等の外周に設置するフェンスには、支柱、横材、および縦板を組み合わせて構成されるものがある。このフェンスは、例えば、複数の支柱の下部を所定の間隔で地中やデッキフロア上に固定した後、隣り合った支柱の間に、複数の横材を上下方向に離して固定し、これらの横材に複数の縦板を固定することによって設置する。
【０００３】
しかしながら、複数の縦板を等間隔に固定するのは、時間や労力を要する。また、横材間にネジ等を用いて縦板を固定した場合、縦板の熱膨張によって、支柱、横材、および縦板に無理な力が加わって、フェンスが破損するおそれがある。この問題に対応したフェンスが知られている（特許文献１）が、さらに簡易に設置できるフェンスの出現が望まれている。
【先行技術文献】
【特許文献】
【０００４】
【特許文献１】実用新案登録第３１８９９０８号公報
【考案の概要】
【考案が解決しようとする課題】
【０００５】
本考案はこのような事情に鑑みてなされたものであり、熱膨張による破損を防ぐとともに、簡易に設置できるフェンスを提供することを目的とする。
【課題を解決するための手段】
【０００６】
本考案のフェンスは、一対の支柱と、一対の支柱間に水平方向に設けられた複数の長手の受材と、受材に取り付けられるパネルユニットと、を有するフェンスであって、パネルユニットは、複数の受材に上方から装着される複数の長手の取付材と、複数の取付材の表面に間隔をあけて設けられた複数の縦材とを備え、複数の取付材のうち、１以上の取付材が装着された受材に固定されている。
【０００７】
本考案のフェンスにおいて、複数の縦材の隙間で、取付材が受材にネジ止めされることが好ましい。本考案のフェンスにおいて、受材が断面Ｌ字形状部を備え、取付材が断面コ字形状部を備え、受材の下板部の上面と、取付材の下板部の下面とが面するように、取付材が受材に装着されることが好ましい。本考案のフェンスにおいて、一対の支柱間に設けられた最上段の受材に、パネルユニットの最上段の取付材が仮装着された状態で、パネルユニットの最上段以外の取付材に対応させて、最上段以外の受材が一対の支柱間に設けられることが好ましい。
【考案の効果】
【０００８】
本考案によれば、熱膨張による破損を防ぐとともに、簡易に設置できるフェンスが得られる。
【図面の簡単な説明】
【０００９】
【図１】本考案の実施形態に係るフェンスの正面図である。
【図２】本考案の実施形態に係るフェンスの上面図である。
【図３】本考案の実施形態に係るフェンスの左側面図である。
【図４】図１のフェンスのＡ−Ａ線断面部分拡大図である。
【図５】本考案の実施形態に係るフェンスのパネルユニットの（ａ）正面図、（ｂ）上面図、（ｃ）左側面図である。
【図６】本考案の実施形態に係るフェンスの他のパネルユニットの（ａ）正面図、（ｂ）上面図、（ｃ）左側面図である。
【図７】本考案の実施形態に係るフェンスの他のパネルユニットの（ａ）正面図、（ｂ）上面図、（ｃ）左側面図である。
【図８】本考案の実施形態に係るフェンスの受材および取付材の左側面図である。
【図９】本考案の実施形態に係るフェンスの組立方法を説明するための左側面図である。
【図１０】本考案の実施形態に係るフェンスの組立方法を説明するための正面図である。
【図１１】本考案の実施形態に係るフェンスの組立方法を説明するための正面図である。
【図１２】本考案の実施形態に係るフェンスの組立方法を説明するための正面図である。
【考案を実施するための形態】
【００１０】
以下、本考案のフェンスについて、図面を参照しながら各実施形態に基づいて説明する。なお、図面は、フェンス、フェンスを構成する部材、およびフェンス周辺の部材を模式的に表したものであり、これらの実物の寸法および寸法比は、図面上の寸法および寸法比と必ずしも一致していない。また、重複説明は適宜省略し、同一部材には同一符号を付与することがある。
【００１１】
図１は、本考案の実施形態に係るフェンス１０の正面図である。図２は、フェンス１０の上面図である。図３は、フェンス１０の左側面図である。図４は、図１のフェンス１０のＡ−Ａ線断面の部分拡大図である。フェンス１０は、図１から図４に示すように、２組の一対の支柱１２，１４および支柱１４，１６と、受材２０，２２，２４，２６，３０，３２，３４，３６（以下「受材２０等」と記載することがある）と、パネルユニット４０，４２，４４とを備えている。支柱１２，１４，１６は、底面が正方形または長方形等である四角柱形状を有し、木または樹脂等からなる。支柱１２，１４，１６は、ウッドデッキ等に下部が固定されたり、下部が地中に埋設されたりして設置される。なお、フェンスの設置場所に応じて、支柱の数を適宜増加させてもよい。
【００１２】
受材２０等はアルミやステンレス等の金属からなる長手の部材である。本実施形態では、受材２０等は全て同じ部材である。受材２０，２２，２４，２６は一対の支柱１２，１４の間に水平方向に取り付けられ、受材３０，３２，３４，３６はもう一対の支柱１４，１６の間に水平方向に取り付けられている。具体的には、受材２０等は、ネジ等によって、支柱１２，１４または支柱１４，１６の正面１２ａ，１４ａ，１６ａに取り付けられている。ネジ止め以外にも、接着剤で固定する方法や、支柱の正面に凹部を設け、受材を嵌め込んで固定する方法等が採用できる。
【００１３】
図５は、パネルユニット４０の外観を示し、（ａ）は正面図、（ｂ）は上面図、（ｃ）は左側面図である。図６は、パネルユニット４２の外観を示し、（ａ）は正面図、（ｂ）は上面図、（ｃ）は左側面図である。図７は、パネルユニット４４の外観を示し、（ａ）は正面図、（ｂ）は上面図、（ｃ）は左側面図である。パネルユニット４０，４２，４４は受材２０等に取り付けられて、フェンス１０の正面を構成している。パネルユニット４０は、受材２０，２２，２４，２６に上方から装着される複数の長手の取付材５０，５２，５４，５６と、取付材５０，５２，５４，５６の表面に間隔をあけて設けられた複数の縦材５８とを備えている。パネルユニット４０がフェンス１０に取り付けられたときに、取付材５０，５２，５４，５６が水平方向に、縦材５８が鉛直方向になるよう設けられている。取付材５０，５２，５４，５６は、アルミやステンレス等の金属からなる長手の部材である。
【００１４】
縦材５８は、底面が長方形の角材で、木または樹脂等からなる。縦材は、長方形や五角形等の板状部材でもよいし、底面が三角形や正方形等の角材でもよい。なお、パネルユニット４０は、フェンス１０の左端に設けられるユニットで、フェンス１０の見栄えを良くするために、取付材５０，５２，５４，５６の左端にも縦材５８が設けられている。また、本実施形態のパネルユニット４０には、縦材５８が５本設けられているが、縦材５８の数量は特に制限されない。
【００１５】
フェンス１０は、受材２０，２２，２４，２６および取付材５０，５２，５４，５６を各４本備えている。そして、取付材５０，５２，５４，５６が、装着された受材２０，２２，２４，２６に固定されている。本実施では、フェンス１０が受材２０，２２，２４，２６および取付材５０，５２，５４，５６を各４本備えているが、受材と取付材は、各３本以下であってもよいし、縦材５８が長い場合や重い場合等には、各５本以上備えていてもよい。縦材５８が長い場合や縦材５８の材質に応じて、最上段と最下段の取付材を受材２０，２６に固定しなくてもよい。周囲の温度によって縦材５８が膨張または収縮しても上下方向に伸縮でき、パネルユニット４０やフェンス１０の破損が抑えられるからである。このように、１以上の取付材は、装着された受材に固定されている。
【００１６】
取付材５２，５４を受材２２，２４に固定する方法は特に制限がないが、フェンス１０の組み立てが簡易にできるネジ止めが好ましい。本実施形態では、縦材５８の隙間で、取付材５２，５４が受材２２，２４にネジ止めされている。縦材５８自体にネジを差し込まないので、短いネジが使用できる上、フェンス１０の美感を損ねない。パネルユニット４２は、フェンス１０の左右両端以外に取り付けられ、４本の取付材６０，６２，６４，６６と、４本の縦材５８とを備えている。パネルユニット４４は、フェンス１０の右端に取り付けられ、４本の取付材７０，７２，７４，７６と、３本の縦材５８とを備えている。パネルユニット４２，４４の受材２０等への固定方法等は、パネルユニット４０の固定方法等と同様である。
【００１７】
図８は、フェンス１０の受材２２および取付材５２の左側面図である。他の受材と取付材も同じ形状である。受材２２は断面Ｌ字形状部を備え、主に支柱固定部２２ａと、下板部２２ｂと、下板部２２ｂから上方に突出した突出部２２ｃとから構成されている。すなわち、受材２２の左側面は、Ｆ字を９０°左に回転したような形状をしている。取付材５２は断面コ字形状部を備え、主に上板部５２ａと、縦板固定部５２ｂと、下板部５２ｃとから構成されている。そして、下板部２２ｂの上面と、下板部５２ｃの下面とが面するように、取付材５２が受材２２に上方から装着されている。
【００１８】
受材２２と取付材５２がこのような形状をしているため、パネルユニット４０，４２，４４が受材２０等に密着固定されて、フェンス１０のがたつきが抑えられる。また、フェンス１０は、上方からパネルユニット４０，４２，４４を受材２０等に装着する構造なので、簡易に設置できる。なお、取付材５２が受材２２にネジ止めされるときのネジＳの位置を、図８に示している。
【００１９】
つぎに、フェンス１０の組立方法について説明する。図９から図１２は、フェンス１０の組立方法を説明するための左側面図または正面図である。まず、図９に示すように、パネルユニット４２を作製する。すなわち、縦材５８の背面５８ａに取付材６０，６２，６４，６６を、例えばネジ止め等によって固定する。縦材５８に厚みがある場合には、背面５８ａ側から取付材６０，６２，６４，６６をネジ止めし、縦材５８が薄い部材の場合には、正面５８ｂ側から取付材６０，６２，６４，６６をネジ止めする。
【００２０】
同様の方法で、パネルユニット４０，４４を作製する。なお、パネルユニット４０の取付材５０，５２，５４，５６の左端およびパネルユニット４４の取付材７０，７２，７４，７６の右端には、それぞれ縦材５８をネジ止め固定する。取付材５０，５２，５４，５６の左端と取付材７０，７２，７４，７６の右端に、縦材５８をネジ止め固定するための板部を設けてもよいし、他のＬ字金具を用いて取付材５０，５２，５４，５６の左端と取付材７０，７２，７４，７６の右端に縦材５８をネジ止めしてもよい。
【００２１】
つぎに、図１０に示すように、支柱１２，１４，１６の下部を地面の穴に埋設し、受材２０を支柱１２，１４間に、受材３０を支柱１４，１６間にそれぞれ固定する。受材２０，３０は、支柱１２，１４，１６の正面１２ａ，１４ａ，１６ａ側からネジ止めする。そして、支柱１２，１４，１６の鉛直と受材２０，３０の水平を確認した後、コンクリート等を地面の穴に打設して支柱１２，１４，１６の下部を地中に固定する。つぎに、図１１に示すように、パネルユニット４２の取付材６０を受材２０の中央付近に装着し、取付材６２，６４，６６と対応するように受材２２，２４，２６を配置して支柱１２，１４間に取り付ける。このため、取付材６２，６４，６６が適切な位置に取り付けられる。
【００２２】
同様にして、図１２に示すように、受材３０，３２，３４，３６を支柱１４，１６間に取り付ける。このように、一対の支柱１２，１４間および支柱１４，１６間に設けられた最上段の受材２０，３０に、パネルユニット４２の最上段の取付材６０が仮装着された状態で、パネルユニット４２の最上段以外の取付材６２，６４，６６に対応させて、最上段以外の受材２２，２４，２６，３２，３４，３６が一対の支柱１２，１４間および支柱１４，１６間に設けられるため、歪みなくパネルユニット４０，４２，４４が一対の支柱１２，１４間および支柱１４，１６間に取り付けられる。
【００２３】
そして、パネルユニット４２をいったん取り外した後、受材２０等に取付材５０，５２，５４，５６，６０，６２，６４，６６，７０，７２，７４，７６を装着することによって、パネルユニット４０，４２，４４を取り付ける。最後に、ネジを使って、縦材５８の隙間から取付材５０，５２，５４，５６，６０，６２，６４，６６，７０，７２，７４，７６を受材２０等に固定する。こうして、図１に示すようなフェンス１０が組み立てられる。受材２０等と取付材５０，５２，５４，５６，６０，６２，６４，６６，７０，７２，７４，７６を用いて、パネルユニット４０，４２，４４を一対の支柱１２，１４間および支柱１４，１６間に取り付けているので、熱膨張によるフェンス１０の破損が抑えられる。
【符号の説明】
【００２４】
１０  フェンス
１２，１４，１６  支柱
１２ａ，１４ａ，１６ａ…正面
２０，２２，２４，２６，３０，３２，３４，３６  受材
２２ａ…支柱固定部、      ２２ｂ…下板部、        ２２ｃ…突出部
４０，４２，４４  パネルユニット
５０，５２，５４，５６，６０，６２，６４，６６，７０，７２，７４，７６  取付材
５２ａ…上板部、          ５２ｂ…縦板固定部、    ５２ｃ…下板部
５８  縦材
５８ａ…背面、            ５８ｂ…正面
Ｓ    ネジ
【図１】
0003193005.tif 000003
【図２】
0003193005.tif 000004
【図３】
0003193005.tif 000005
【図４】
0003193005.tif 000006
【図５】
0003193005.tif 000007
【図６】
0003193005.tif 000008
【図７】
0003193005.tif 000009
【図８】
0003193005.tif 000010
【図９】
0003193005.tif 000011
【図１０】
0003193005.tif 000012
【図１１】
0003193005.tif 000013
【図１２】
0003193005.tif 000014